(57)【要約】（要約）（課題）  比較的重量の大きな金属製付け爪或いは宝石付付け爪に対しても十分な保持力を発揮する粘着剤シートの製造方法並びに粘着剤シートの提供。（解決手段）  第１の剥離シート上に、開口部を有する第１の型用シートを配設する段階と、該第１の型用シート上に第１の粘着剤を塗布する段階と、箆部材を前記第１の型用シート上で移動させ、前記第１の粘着剤を前記型用シートの開口部内に流入させる段階と、前記第１の粘着剤を前記開口部内に収容した状態で、前記第１の粘着剤を固化させる段階と、前記第１の剥離シートから前記第１の型用シートを除去する段階と、前記第１の剥離シート上に第２の剥離シートを載置し、前記第１の剥離シートと前記第２の剥離シートの間で、前記第１の粘着剤を固定する段階を備えることを特徴とする粘着剤シートの製造方法である。
2009025058.tif 000002
【特許請求の範囲】
【請求項１】
第１の剥離シート上に、開口部を有する第１の型用シートを配設する段階と、
該第１の型用シート上に第１の粘着剤を塗布する段階と、
箆部材を前記第１の型用シート上で移動させ、前記第１の粘着剤を前記第１の型用シートの開口部内に流入させる段階と、
前記第１の粘着剤を前記開口部内に収容した状態で、前記第１の粘着剤を固化させる段階と、
前記第１の剥離シートから前記第１の型用シートを除去する段階と、
前記第１の剥離シート上に第２の剥離シートを載置し、前記第１の剥離シートと前記第２の剥離シートの間で、前記第１の粘着剤を固定する段階を備えることを特徴とする粘着剤シートの製造方法。
【請求項２】
第１の剥離シート上に、開口部を有する第１の型用シートを配設する段階と、
該第１の型用シート上に第１の粘着剤を塗布する段階と、
箆部材を前記第１の型用シート上で移動させ、前記第１の粘着剤を前記第１の型用シートの開口部内に流入させる段階と、
前記第１の粘着剤を前記第１の型用シートの前記開口部内に収容した状態で、前記第１の粘着剤を固化させる段階と、
前記第１の型用シート上に、前記第１の型用シートの開口部より小さく形成された開口部を備える第２の型用シートを配設し、前記第１の型用シートと前記第２の型用シートの開口部同士を連通させる段階と、
該第２の型用シート上に第２の粘着剤を塗布する段階と、
箆部材を前記第２の型用シート上で移動させ、前記第２の粘着剤を前記第２の型用シートの開口部内に流入させる段階と、
前記第２の粘着剤を前記第２の型用シートの前記開口部内に収容した状態で、前記第２の粘着剤を固化させる段階と、
前記第１の剥離シートから前記第１の型用シート及び前記第２の型用シートを除去する段階と、
前記第１の剥離シート上に第２の剥離シートを載置し、前記第１の剥離シートと前記第２の剥離シートの間で、前記第１の粘着剤及び前記第２の粘着剤を固定する段階を備えることを特徴とする粘着剤シートの製造方法。
【請求項３】
前記第１の型用シートが、前記第１の型用シートに形成された前記開口部を覆う網材を備えることを特徴とする請求項１記載の粘着剤シートの製造方法。
【請求項４】
前記第２の型用シートが、前記第２の型用シートに形成された前記開口部を覆う網材を備えることを特徴とする請求項２記載の粘着剤シートの製造方法。
【請求項５】
前記第１の型用シートの開口部の近傍に、該第１の型用シート上面に対して平行に延設する貫通孔が形成され、
前記第１の粘着剤を固化させる段階が、前記貫通孔に冷却気体を導入する段階を備えることを特徴とする請求項１又は２記載の粘着剤シートの製造方法。
【請求項６】
前記第２の型用シートの開口部の近傍に、該第２の型用シート上面に対して平行に延設する貫通孔が形成され、
前記第２の粘着剤を固化させる段階が、前記貫通孔に冷却気体を導入する段階を備えることを特徴とする請求項２記載の粘着剤シートの製造方法。
【請求項７】
前記第１の型用シートの開口部の近傍に、該第１の型用シート上面に対して平行に延設する貫通孔が形成され、
該貫通孔にヒータ線が挿通され、
前記第１の粘着剤を固化させる段階が、前記ヒータ線に電力を供給する段階を備えることを特徴とする請求項１又は２記載の粘着剤シートの製造方法。
【請求項８】
前記第２の型用シートの開口部の近傍に、該第２の型用シート上面に対して平行に延設する貫通孔が形成され、
該貫通孔にヒータ線が挿通され、
前記第２の粘着剤を固化させる段階が、前記ヒータ線に電力を供給する段階を備えることを特徴とする請求項２記載の粘着剤シートの製造方法。
【請求項９】
前記第２の開口部が、前記第１の開口部の左右縁近傍のうち少なくとも一方と連通することを特徴とする請求項２記載の粘着剤シートの製造方法。
【請求項１０】
前記第２の開口部が、前記第１の開口部の中央部で連通することを特徴とする請求項２記載の粘着剤シートの製造方法。
【請求項１１】
前記第２の開口部が、前記第１の開口部の中央部以外の領域と連通することを特徴とする請求項２記載の粘着剤シートの製造方法。
【請求項１２】
前記第１の粘着剤を前記型用シートの開口部内に流入させた後であって、且つ、該開口部内の前記第１の粘着剤が固化する前に、遠赤外線を放射する無機粉末を散布する段階を備えることを特徴とする請求項１記載の粘着剤シートの製造方法。
【請求項１３】
第１の剥離シート上に、開口部を有する第１の型用シートを配設する段階と、
該第１の型用シート上に第１の粘着剤を塗布する段階と、
箆部材を前記第１の型用シート上で移動させ、前記第１の粘着剤を前記第１の型用シートの開口部内に流入させる段階と、
前記第１の粘着剤を前記第１の型用シートの前記開口部内に収容した状態で、前記第１の粘着剤を固化させる段階と、
前記第１の型用シート上に、前記第１の型用シートの開口部より小さく形成された開口部を備える第２の型用シートを配設し、前記第１の型用シートと前記第２の型用シートの開口部同士を連通させる段階と、
前記第２の型用シートの開口部を通じて、前記第１の粘着剤上に遠赤外線を放射する無機粉末を散布する段階と、
該第２の型用シート上に第２の粘着剤を塗布する段階と、
箆部材を前記第２の型用シート上で移動させ、前記第２の粘着剤を前記第２の型用シートの開口部内に流入させる段階と、
前記第２の粘着剤を前記第２の型用シートの前記開口部内に収容した状態で、前記第２の粘着剤を固化させる段階と、
前記第１の剥離シートから前記第１の型用シート及び前記第２の型用シートを除去する段階と、
前記第１の剥離シート上に第２の剥離シートを載置し、前記第１の剥離シートと前記第２の剥離シートの間で、前記第１の粘着剤及び前記第２の粘着剤を固定する段階を備えることを特徴とする粘着剤シートの製造方法。
【請求項１４】
第１の剥離シート上に、開口部を有する第１の型用シートを配設する段階と、
該第１の型用シート上に第１の粘着剤を塗布する段階と、
箆部材を前記第１の型用シート上で移動させ、前記第１の粘着剤を前記第１の型用シートの開口部内に流入させる段階と、
前記第１の粘着剤を前記第１の型用シートの前記開口部内に収容した状態で、前記第１の粘着剤を固化する段階と、
前記第１の型用シート上に、前記第１の型用シートの開口部より小さく形成された開口部を備える第２の型用シートを配設し、前記第１の型用シートの開口部の中央部以外の領域と前記第２の型用シートの開口部を連通させる段階と、
該第２の型用シート上に第２の粘着剤を塗布する段階と、
箆部材を前記第２の型用シート上で移動させ、前記第２の粘着剤を前記第２の型用シートの開口部内に流入させる段階と、
前記第２の粘着剤を前記第２の型用シートの前記開口部内に収容した状態で、前記第２の粘着剤を固化する段階と、
前記第２の型用シートを除去する段階と、
前記第１の型用シートの開口部よりも小さく形成される開口部を備える第３の型用シートを前記第１の型用シート上に配設し、前記第３の型用シートの開口部を前記第１の型用シートの開口部の中央領域と連通させる段階と、
前記第３の型用シートの開口部を通じて、酸化カルシウムを前記第２の粘着剤又は前記第１の粘着剤上に散布する段階と、
前記第１の剥離シートから前記第１の型用シート及び前記第３の型用シートを除去する段階と、
前記第１の剥離シート上に第２の剥離シートを載置し、前記第１の剥離シートと前記第２の剥離シートの間で、前記第１の粘着剤及び前記第２の粘着剤を固定する段階を備えることを特徴とする粘着剤シートの製造方法。
【請求項１５】
第１の剥離シート上に、開口部を有する第１の型用シートを配設する段階と、
該第１の型用シート上に第１の粘着剤を塗布する段階と、
箆部材を前記第１の型用シート上で移動させ、前記第１の粘着剤を前記第１の型用シートの開口部内に流入させる段階と、
前記第１の粘着剤を前記第１の型用シートの前記開口部内に収容した状態で、前記第１の粘着剤を固化する段階と、
前記第１の型用シート上に、前記第１の型用シートの開口部より小さく形成された開口部を備える第２の型用シートを配設し、前記第１の型用シートの開口部の中央部以外の領域と前記第２の型用シートの開口部を連通させる段階と、
該第２の型用シート上に第２の粘着剤を塗布する段階と、
箆部材を前記第２の型用シート上で移動させ、前記第２の粘着剤を前記第２の型用シートの開口部内に流入させる段階と、
前記第２の粘着剤を前記第２の型用シートの前記開口部内に収容した状態で、前記第２の粘着剤を固化する段階と、
前記第２の型用シートを除去する段階と、
前記第１の型用シートの開口部よりも小さく形成される開口部を備える第３の型用シートを前記第１の型用シート上に配設し、前記第３の型用シートの開口部を前記第１の型用シートの開口部の中央領域と連通させる段階と、
前記第３の型用シートの開口部を通じて、酸化鉄を前記第２の粘着剤又は前記第１の粘着剤上に散布する段階と、
前記第１の剥離シートから前記第１の型用シート及び前記第２の型用シートを除去する段階と、
前記第１の剥離シート上に第２の剥離シートを載置し、前記第１の剥離シートと前記第２の剥離シートの間で、前記第１の粘着剤を固定する段階を備えることを特徴とする粘着剤シートの製造方法。
【請求項１６】
請求項１記載の粘着剤シートの製造方法から得られる粘着剤シートであって、
第１の剥離シートと、
該第１の剥離シート上に配される第１の粘着剤層と、
前記第１の粘着剤層を覆う第２の剥離シートからなることを特徴とする粘着剤シート。
【請求項１７】
前記第１の剥離シートと前記第２の剥離シートに格子状のミシン目が形成され、
前記ミシン目で囲まれる格子領域内に前記第１の粘着剤層が配されることを特徴とする請求項１６記載の粘着剤シート。
【請求項１８】
前記第１の剥離シートが、前記第２の剥離シートよりも高い剛性を備えるとともに、所定の付け爪裏面の曲率半径と等しい曲率半径を備えることを特徴とする請求項１６記載の粘着剤シート。
【請求項１９】
前記第２の剥離シートを前記第１の粘着剤層から剥離させるのに要する力が、前記第１の剥離シートを前記第１の粘着剤層から剥離させるのに要する力よりも大きいことを特徴とする請求項１８記載の粘着剤シート。
【請求項２０】
前記第１の粘着剤層の周縁領域が隆起していることを特徴とする請求項１６記載の粘着剤シート。
【請求項２１】
前記第１の粘着剤層の中央領域が隆起していることを特徴とする請求項１６記載の粘着剤シート。
【請求項２２】
請求項２記載の粘着剤シートの製造方法から得られる粘着剤シートであって、
第１の剥離シートと、
該第１の剥離シート上に配される第１の粘着剤層と、
該第１の粘着剤層上に積層されるとともに該第１の粘着剤層よりも狭い領域を占める第２の粘着剤層と、
前記第１の粘着剤層及び前記第２の粘着剤層を覆う第２の剥離シートからなることを特徴とする粘着剤シート。
【請求項２３】
請求項１３記載の粘着剤シートの製造方法から得られる粘着剤シートであって、
第１の剥離シートと、
該第１の剥離シート上に配される第１の粘着剤層と、
該第１の粘着剤層上に積層されるとともに該第１の粘着剤層よりも狭い領域を占める第２の粘着剤層と、
前記第１の粘着剤層及び前記第２の粘着剤層を覆う第２の剥離シートと、
前記第１の粘着剤層と前記第２の粘着剤層の間に配されるとともに遠赤外線を放射する無機粉末からなることを特徴とする粘着剤シート。
【請求項２４】
前記無機粉末が、白炭、貝殻焼成カルシウム、トルマリン、Al2O3、SiO2、MgO、ZrO2、3Al2O3・2SiO2、ZrO2・SiO2、2MgO・2Al2O3・5SiO2からなる群から選択される材料からなることを特徴とする請求項２３記載の粘着剤シート。
【請求項２５】
請求項１４記載の粘着シートの製造方法から得られる粘着剤シートであって、
第１の剥離シートと、
該第１の剥離シート上に配される第１の粘着剤層と、
該第１の粘着剤層上に積層されるとともに該第１の粘着剤層よりも狭い領域を占める第２の粘着剤層と、
前記第１の粘着剤層及び前記第２の粘着剤層を覆う第２の剥離シートからなり、
前記第２の粘着剤層の中央領域には凹部が形成され、
該凹部に、酸化カルシウムが配されることを特徴とする粘着剤シート。
【請求項２６】
請求項１５記載の粘着シートの製造方法から得られる粘着剤シートであって、
第１の剥離シートと、
該第１の剥離シート上に配される第１の粘着剤層と、
該第１の粘着剤層上に積層されるとともに該第１の粘着剤層よりも狭い領域を占める第２の粘着剤層と、
前記第１の粘着剤層及び前記第２の粘着剤層を覆う第２の剥離シートからなり、
前記第２の粘着剤層の中央領域には凹部が形成され、
該凹部に、酸化鉄が配されることを特徴とする粘着剤シート。
【発明の詳細な説明】
【技術分野】
【０００１】
本発明は、粘着剤シートの製造方法及びこの製造方法から得られる粘着剤シートに関し、より詳しくは、人体の爪への付け爪貼着に好適に利用可能な粘着剤シートの製造方法及びこの製造方法から得られる粘着剤シートに関する。
【背景技術】
【０００２】
付け爪は、指先の装飾を施すファッションツールとして古くから利用されている。特許文献１に開示される如く、付け爪は、直接的に人体爪に溶剤を塗布することなく、爪に絵模様を付することを可能とするため、人体爪表面の溶剤による荒れを防ぎたい人に好適なツールである。また、マニキュアと比して、比較的短時間で爪へ取り付け、或いは、爪から取り外すことが可能であるため、忙しい人に適したファッションツールとしても知られている。【０００３】
近年のネイルアートの流行に伴い、上記した付け爪の利点から、多くの人々に付け爪は注目されている。例えば、付け爪にネイルアートを施せば、ネイルアーティストの前に自己の手を差し出した状態で、数時間ネイルアートの完成を待つといった時間の浪費を避けることができ、且つ、爪がネイルアートの塗料に含有される多量の化学薬品の影響にさらされることはない。
上述以外にも、付け爪は利点を有する。例えば、近年、多くの職場においてパソコンが導入されているが、パソコンのタイピングにおいては、長い爪は作業効率を低減させる。また、保育園や水泳教室などの児童と接する職場においては、児童を傷つけないようにするため、長い爪は禁止されている。或いは、食品を取扱う職場においては、衛生的観点から、同様に長い爪は禁止されている。このような職場で働く人々にとっては、短時間で指先を装飾できる付け爪は便利なアイテムとなる。【０００４】
付け爪を指先に装着する方法は、２通りに大別される。１つは、接着剤を用いる方法である。接着剤を用いる方法は、接着剤が硬化するまでの間、付け爪を押える必要があり、付け爪を取り除く際も薬品や除光液を、付け爪と人体爪の間に染み込ませる必要が生じ、マニキュアほどではないものの、手間と時間を要する。【０００５】
他の方法は、両面粘着テープを用いる方法である。この方法においては、まず、両面テープの一方の粘着面の離型シートを取り外して、人体爪上に露出した粘着面を貼着させる。その後、他方の粘着面の離型シートを取り除き、この他方の粘着面に付け爪が貼着される。
この方法によれば、接着剤を用いる方法よりも短時間で、付け爪の着脱作業が完了することが可能であり、多くの場合、両面粘着テープを用いる方法が利用されている。【０００６】
しかしながら、両面粘着テープを用いる方法においては、離型シートを取り外す際に必然的に両面粘着テープの粘着剤層の一部に指先が接触することとなる。このことは、指先の脂が粘着剤層に移動し、粘着力を低減させることとなる。
特許文献２は、この問題を解決するのに好適な付け爪粘着用シートを提案する。【０００７】
図２４は、特許文献２に開示される付け爪粘着用シートを示す。図２４（ａ）は、付け爪粘着用シートの平面図であり、図２４（ｂ）は、付け爪粘着用シートの断面図である。
図２４に示す付け爪粘着用シート（Ｓ）は、剥離基材（Ｂ）と、剥離基材（Ｂ）上に貼着される両面粘着シート材（Ｔ）からなる。両面粘着シート材（Ｔ）は、粘着剤層（Ａ）と剥離フィルム（Ｅ）から構成される。剥離フィルム（Ｅ）はトムソン刃で所定形状に切り抜き加工されている。
図２４に示す如く、剥離フィルム（Ｅ）は、その周縁部から外方に突出する舌片（Ｐ）を備える。また、舌片（Ｐ）と剥離基材（Ｂ）の間には、粘着剤層（Ａ）は存在しない。このような形状にすることにより、使用者は付け爪粘着用シート（Ｓ）を取扱う際に、舌片（Ｐ）を摘むことができ、粘着剤層（Ａ）に触れることなく、付け爪を人体爪に取付けることが可能となる。【０００８】
【特許文献１】実開昭４８−４８８６７号公報
【特許文献２】特開２００６−１８１３４９号公報
【発明の開示】
【発明が解決しようとする課題】
【０００９】
上記の如く、特許文献２に記載の付け爪粘着用シート（Ｓ）は、粘着剤層（Ａ）に指先を接触させることなく、付け爪の取り付けを可能とするという優れた効果をもたらすが、以下のような問題点を有する。
上述の如く、図２４に示す付け爪粘着用シート（Ｓ）は、トムソン刃を用いて切り抜き加工される。粘着剤層（Ａ）を構成する粘着剤の単位面積当たりの塗布量が大きい場合には、トムソン刃に粘着剤がくっつき、好適な切り抜き加工をすることは困難となる。このため、両面粘着シート材（Ｔ）の粘着剤層（Ａ）の粘着剤塗布量を多くするには限度がある。
この結果、例えば、付け爪粘着用シート（Ｓ）を用いて、人体爪に貼着しようとする付け爪が金属製である場合には、付け爪の重量に比して、粘着剤の塗布量が少なく、金属製付け爪に対する十分な保持力を得ることができないという問題を招来することとなる。【００１０】
他の問題点として、両面粘着シート材（Ｔ）の粘着剤層（Ａ）の厚さが一様であるということを挙げることができる。人体爪の形状は、人によって千差万別であり、人体爪の形状によっては、粘着剤層（Ａ）の一部が隆起している方が、高い付け爪保持力を得られる場合もある。
しかしながら、図２４に示すような両面粘着シート材（Ｔ）を用いる場合には、人体爪の表面形状に応じた適切な粘着剤層（Ａ）の隆起を作り出すことはできない。【００１１】
本発明は上記実情を鑑みてなされたものであって、比較的重量の大きな金属製付け爪或いは宝石付付け爪に対しても十分な保持力を発揮する粘着剤シートの製造方法並びに粘着剤シートを提供することを目的とする。本発明の更なる目的は、人体爪の表面形状に応じて適切な隆起や凹部を容易に形成することが可能な粘着剤シートの製造方法を提供することである。
【課題を解決するための手段】
【００１２】
本発明の一の実施形態は、第１の剥離シート上に、開口部を有する第１の型用シートを配設する段階と、該第１の型用シート上に第１の粘着剤を塗布する段階と、箆部材を前記第１の型用シート上で移動させ、前記第１の粘着剤を前記第１の型用シートの開口部内に流入させる段階と、前記第１の粘着剤を前記開口部内に収容した状態で、前記第１の粘着剤を固化させる段階と、前記第１の剥離シートから前記第１の型用シートを除去する段階と、前記第１の剥離シート上に第２の剥離シートを載置し、前記第１の剥離シートと前記第２の剥離シートの間で、前記第１の粘着剤を固定する段階を備えることを特徴とする粘着剤シートの製造方法である。
本発明の他の実施形態は、第１の剥離シート上に、開口部を有する第１の型用シートを配設する段階と、該第１の型用シート上に第１の粘着剤を塗布する段階と、箆部材を前記第１の型用シート上で移動させ、前記第１の粘着剤を前記第１の型用シートの開口部内に流入させる段階と、前記第１の粘着剤を前記第１の型用シートの前記開口部内に収容した状態で、前記第１の粘着剤を固化させる段階と、前記第１の型用シート上に、前記第１の型用シートの開口部より小さく形成された開口部を備える第２の型用シートを配設し、前記第１の型用シートと前記第２の型用シートの開口部同士を連通させる段階と、該第２の型用シート上に第２の粘着剤を塗布する段階と、箆部材を前記第２の型用シート上で移動させ、前記第２の粘着剤を前記第２の型用シートの開口部内に流入させる段階と、前記第２の粘着剤を前記第２の型用シートの前記開口部内に収容した状態で、前記第２の粘着剤を固化させる段階と、前記第１の剥離シートから前記第１の型用シート及び前記第２の型用シートを除去する段階と、前記第１の剥離シート上に第２の剥離シートを載置し、前記第１の剥離シートと前記第２の剥離シートの間で、前記第１の粘着剤及び前記第２の粘着剤を固定する段階を備えることを特徴とする粘着剤シートの製造方法である。【００１３】
本発明は更に、前記第１の型用シートが、前記第１の型用シートに形成された前記開口部を覆う網材を備えることを特徴とする。
本発明は更に、前記第２の型用シートが、前記第２の型用シートに形成された前記開口部を覆う網材を備えることを特徴とする。【００１４】
本発明は更に、前記第１の型用シートの開口部の近傍に、該第１の型用シート上面に対して平行に延設する貫通孔が形成され、前記第１の粘着剤を固化させる段階が、前記貫通孔に冷却気体を導入する段階を備えることを特徴とする。
本発明は更に、前記第２の型用シートの開口部の近傍に、該第２の型用シート上面に対して平行に延設する貫通孔が形成され、前記第２の粘着剤を固化させる段階が、前記貫通孔に冷却気体を導入する段階を備えることを特徴とする。
本発明は更に、前記第１の型用シートの開口部の近傍に、該第１の型用シート上面に対して平行に延設する貫通孔が形成され、該貫通孔にヒータ線が挿通され、前記第１の粘着剤を固化させる段階が、前記ヒータ線に電力を供給する段階を備えることを特徴とする。
本発明は更に、前記第２の型用シートの開口部の近傍に、該第２の型用シート上面に対して平行に延設する貫通孔が形成され、該貫通孔にヒータ線が挿通され、前記第２の粘着剤を固化させる段階が、前記ヒータ線に電力を供給する段階を備えることを特徴とする。【００１５】
本発明は更に、前記第２の開口部が、前記第１の開口部の左右縁近傍のうち少なくとも一方と連通することを特徴とする。
本発明は更に、前記第２の開口部が、前記第１の開口部の中央部で連通することを特徴とする。
本発明は更に、前記第２の開口部が、前記第１の開口部の中央部以外の領域と連通することを特徴とする。【００１６】
本発明は更に、前記第１の粘着剤を前記型用シートの開口部内に流入させた後であって、且つ、該開口部内の前記第１の粘着剤が固化する前に、遠赤外線を放射する無機粉末を散布する段階を備えることを特徴とする。
本発明の他の実施形態は、第１の剥離シート上に、開口部を有する第１の型用シートを配設する段階と、該第１の型用シート上に第１の粘着剤を塗布する段階と、箆部材を前記第１の型用シート上で移動させ、前記第１の粘着剤を前記第１の型用シートの開口部内に流入させる段階と、前記第１の粘着剤を前記第１の型用シートの前記開口部内に収容した状態で、前記第１の粘着剤を固化させる段階と、前記第１の型用シート上に、前記第１の型用シートの開口部より小さく形成された開口部を備える第２の型用シートを配設し、前記第１の型用シートと前記第２の型用シートの開口部同士を連通させる段階と、前記第２の型用シートの開口部を通じて、前記第１の粘着剤上に遠赤外線を放射する無機粉末を散布する段階と、該第２の型用シート上に第２の粘着剤を塗布する段階と、箆部材を前記第２の型用シート上で移動させ、前記第２の粘着剤を前記第２の型用シートの開口部内に流入させる段階と、前記第２の粘着剤を前記第２の型用シートの前記開口部内に収容した状態で、前記第２の粘着剤を固化させる段階と、前記第１の剥離シートから前記第１の型用シート及び前記第２の型用シートを除去する段階と、前記第１の剥離シート上に第２の剥離シートを載置し、前記第１の剥離シートと前記第２の剥離シートの間で、前記第１の粘着剤及び前記第２の粘着剤を固定する段階を備えることを特徴とする粘着剤シートの製造方法である。
本発明の更なる他の実施形態は、第１の剥離シート上に、開口部を有する第１の型用シートを配設する段階と、該第１の型用シート上に第１の粘着剤を塗布する段階と、箆部材を前記第１の型用シート上で移動させ、前記第１の粘着剤を前記第１の型用シートの開口部内に流入させる段階と、前記第１の粘着剤を前記第１の型用シートの前記開口部内に収容した状態で、前記第１の粘着剤を固化する段階と、前記第１の型用シート上に、前記第１の型用シートの開口部より小さく形成された開口部を備える第２の型用シートを配設し、前記第１の型用シートの開口部の中央部以外の領域と前記第２の型用シートの開口部を連通させる段階と、該第２の型用シート上に第２の粘着剤を塗布する段階と、箆部材を前記第２の型用シート上で移動させ、前記第２の粘着剤を前記第２の型用シートの開口部内に流入させる段階と、前記第２の粘着剤を前記第２の型用シートの前記開口部内に収容した状態で、前記第２の粘着剤を固化する段階と、前記第２の型用シートを除去する段階と、前記第１の型用シートの開口部よりも小さく形成される開口部を備える第３の型用シートを前記第１の型用シート上に配設し、前記第３の型用シートの開口部を前記第１の型用シートの開口部の中央領域と連通させる段階と、前記第３の型用シートの開口部を通じて、酸化カルシウムを前記第２の粘着剤又は前記第１の粘着剤上に散布する段階と、前記第１の剥離シートから前記第１の型用シート及び前記第３の型用シートを除去する段階と、前記第１の剥離シート上に第２の剥離シートを載置し、前記第１の剥離シートと前記第２の剥離シートの間で、前記第１の粘着剤及び前記第２の粘着剤を固定する段階を備えることを特徴とする粘着剤シートの製造方法である。
本発明の更なる他の実施形態は、第１の剥離シート上に、開口部を有する第１の型用シートを配設する段階と、該第１の型用シート上に第１の粘着剤を塗布する段階と、箆部材を前記第１の型用シート上で移動させ、前記第１の粘着剤を前記第１の型用シートの開口部内に流入させる段階と、前記第１の粘着剤を前記第１の型用シートの前記開口部内に収容した状態で、前記第１の粘着剤を固化する段階と、前記第１の型用シート上に、前記第１の型用シートの開口部より小さく形成された開口部を備える第２の型用シートを配設し、前記第１の型用シートの開口部の中央部以外の領域と前記第２の型用シートの開口部を連通させる段階と、該第２の型用シート上に第２の粘着剤を塗布する段階と、箆部材を前記第２の型用シート上で移動させ、前記第２の粘着剤を前記第２の型用シートの開口部内に流入させる段階と、前記第２の粘着剤を前記第２の型用シートの前記開口部内に収容した状態で、前記第２の粘着剤を固化する段階と、前記第２の型用シートを除去する段階と、前記第１の型用シートの開口部よりも小さく形成される開口部を備える第３の型用シートを前記第１の型用シート上に配設し、前記第３の型用シートの開口部を前記第１の型用シートの開口部の中央領域と連通させる段階と、前記第３の型用シートの開口部を通じて、酸化鉄を前記第２の粘着剤又は前記第１の粘着剤上に散布する段階と、前記第１の剥離シートから前記第１の型用シート及び前記第２の型用シートを除去する段階と、前記第１の剥離シート上に第２の剥離シートを載置し、前記第１の剥離シートと前記第２の剥離シートの間で、前記第１の粘着剤を固定する段階を備えることを特徴とする粘着剤シートの製造方法である。【００１７】
本発明は、上記した粘着剤シートの製造方法から得られる粘着剤シートであって、第１の剥離シートと、該第１の剥離シート上に配される第１の粘着剤層と、前記第１の粘着剤層を覆う第２の剥離シートからなることを特徴とする粘着剤シートである。
本発明は更に、前記第１の剥離シートと前記第２の剥離シートに格子状のミシン目が形成され、前記ミシン目で囲まれる格子領域内に前記第１の粘着剤層が配されることを特徴とする。
本発明は更に、前記第１の剥離シートが、前記第２の剥離シートよりも高い剛性を備えるとともに、所定の付け爪裏面の曲率半径と等しい曲率半径を備えることを特徴とする。
本発明は更に、前記第２の剥離シートを前記第１の粘着剤層から剥離させるのに要する力が、前記第１の剥離シートを前記第１の粘着剤層から剥離させるのに要する力よりも大きいことを特徴とする。
本発明は更に、前記第１の粘着剤層の周縁領域が隆起していることを特徴とする。
本発明は更に、前記第１の粘着剤層の中央領域が隆起していることを特徴とする。【００１８】
本発明の一の実施形態は、上記した粘着剤シートの製造方法から得られる粘着剤シートであって、第１の剥離シートと、該第１の剥離シート上に配される第１の粘着剤層と、該第１の粘着剤層上に積層されるとともに該第１の粘着剤層よりも狭い領域を占める第２の粘着剤層と、前記第１の粘着剤層及び前記第２の粘着剤層を覆う第２の剥離シートからなることを特徴とする粘着剤シートである。
本発明の他の実施形態は、上記した粘着剤シートの製造方法から得られる粘着剤シートであって、第１の剥離シートと、該第１の剥離シート上に配される第１の粘着剤層と、該第１の粘着剤層上に積層されるとともに該第１の粘着剤層よりも狭い領域を占める第２の粘着剤層と、前記第１の粘着剤層及び前記第２の粘着剤層を覆う第２の剥離シートと、前記第１の粘着剤層と前記第２の粘着剤層の間に配されるとともに遠赤外線を放射する無機粉末からなることを特徴とする粘着剤シートである。
本発明は更に、前記無機粉末が、白炭、貝殻焼成カルシウム、トルマリン、Al2O3、SiO2、MgO、ZrO2、3Al2O3・2SiO2、ZrO2・SiO2、2MgO・2Al2O3・5SiO2からなる群から選択される材料からなることを特徴とする。
本発明の更に他の実施形態は、上記した粘着シートの製造方法から得られる粘着剤シートであって、第１の剥離シートと、該第１の剥離シート上に配される第１の粘着剤層と、該第１の粘着剤層上に積層されるとともに該第１の粘着剤層よりも狭い領域を占める第２の粘着剤層と、前記第１の粘着剤層及び前記第２の粘着剤層を覆う第２の剥離シートからなり、前記第２の粘着剤層の中央領域には凹部が形成され、該凹部に、酸化カルシウムが配されることを特徴とする粘着剤シートである。
本発明の更に他の実施形態は、上記した粘着シートの製造方法から得られる粘着剤シートであって、第１の剥離シートと、該第１の剥離シート上に配される第１の粘着剤層と、該第１の粘着剤層上に積層されるとともに該第１の粘着剤層よりも狭い領域を占める第２の粘着剤層と、前記第１の粘着剤層及び前記第２の粘着剤層を覆う第２の剥離シートからなり、前記第２の粘着剤層の中央領域には凹部が形成され、該凹部に、酸化鉄が配されることを特徴とする粘着剤シートである。
【発明の効果】
【００１９】
本発明の一実施形態によれば、型用シートの厚さを変えることにより、第１の剥離シート上の粘着剤の塗布量を変えることが可能となる。このため、従来の両面粘着テープ或いは両面粘着シートを利用した粘着剤シートよりも、付け爪に対する高い保持力を得ることが可能となる。
本発明の他の実施形態によれば、第１の粘着剤と第２の粘着剤からなる２層の粘着剤層を第１の剥離シート上に形成可能となる。したがって、例えば、第１の粘着剤として、対象となる付け爪に対して高い保持力を発揮することが可能な粘着剤を選択し、第２の粘着剤として、人体爪に対して高い粘着力を発揮することが可能な粘着剤を選択することが可能となる。この結果、従来よりも、付け爪の強固な取り付けが可能となる。
更に、第１の型用シートの開口部と第２の型用シートの開口部の連通位置において、粘着剤層を隆起させることができ、人体爪の表面形状に応じて、適切な粘着剤層の表面隆起形状を形成することが可能となる。【００２０】
本発明の他の実施形態によれば、網材が存することにより、箆部材を型用シート上で摺動させたときに開口部内に流入した粘着剤上面を簡便に平滑にすることが可能となる。更に、網材が存することにより、箆部材を型用シート上面で摺動させた後において、型用シート上面に残存する粘着剤と開口部内に流入した粘着剤とを確実に分断させることができ、型用シートの除去工程において、型用シートとともに粘着剤が剥離シートから取り除かれてしまうことを防止可能となる。
本発明の他の実施形態によれば、開口部周縁近傍に存する粘着剤を、型用シートの開口部中央領域に存する粘着剤よりも早く固化させることが可能となる。この結果、開口部周縁近傍の粘着剤の固化に伴い開口部周縁近傍から押し出された粘着剤は、開口部中央領域に向けて流動し、開口部中央領域において粘着剤層を隆起させることが可能となる。
本発明の他の実施形態によれば、開口部周縁近傍に存する粘着剤の固化を遅らせることが可能となる。この結果、粘着剤の固化が型用シートの開口部の中央領域から進行することとなり、中央領域の粘着剤の固化により中央領域から押し出された粘着剤は、開口部周縁方向に向けて流動し、開口部周縁領域において、粘着剤層を隆起させることが可能となる。
本発明の他の実施形態によれば、第１の型用シートの開口部と第２の型用シートの開口部の連通位置において、粘着剤層を隆起させることができ、人体爪の表面形状に応じて、適切な粘着剤層の表面隆起形状を形成することが可能となる。【００２１】
本発明の他の実施形態によれば、形成される粘着剤層が遠赤外線を放射する無機粉末を含有することとなる。この結果、指先の毛細血管が遠赤外線により刺激され、毛細血管が拡張し、指先の血流が促進され、指先の冷え性が改善される。
本発明の他の実施形態によれば、無機粉末を第１の粘着剤と第２の粘着剤で挟持することができ、無機粉末が粘着剤層から零れ落ちることを確実に防止可能となる。
本発明の他の実施形態によれば、第２の粘着剤で形成される粘着剤層に凹部を形成することができるとともに、この凹部に酸化カルシウム又は酸化鉄を配することが可能となる。この結果、粘着性回復のための復活剤を塗布した際に、復活剤中の水成分と酸化カルシウム又は酸化鉄が反応し、熱を発するので、第２の粘着剤のタック力増加速度を高めることが可能となる。これにより、復活剤塗布後の付け爪の再装着を素早く行うことが可能となる。また、凹部により、酸化カルシウムと水成分との反応の結果生ずるアルカリ性の水酸化カルシウムの影響を最小限化可能となる。【００２２】
本発明の他の実施形態によれば、付け爪に対する強い保持力を発揮可能な粘着剤シートとなる。
本発明の他の実施形態によれば、粘着剤が塗布された格子領域を他の部分から分離することが可能となり、粘着剤シートの取扱いが容易になる。
本発明の他の実施形態によれば、付け爪裏面に粘着剤層を容易に密着させることが可能な粘着剤シートとなる。
本発明の他の実施形態によれば、第２の剥離シート側に必ず粘着剤が付着することとなり、第２の剥離シート及びこれに付着する粘着剤を第１の剥離シートから取り外した後、付け爪を粘着剤に付着させることができる。その後、第２の剥離シートを粘着剤から取り除き、人体爪に粘着剤を付着させることができる。このように、付け爪の取り付け手順が定まり、付け爪の装着作業の簡便化を図ることが可能となる。【００２３】
本発明の他の実施形態によれば、曲率半径の小さな湾曲を有する人体爪に対して好適な粘着剤シートとなる。
本発明の他の実施形態によれば、曲率半径の大きな湾曲を有する人体爪に対して好適な粘着剤シートとなる。【００２４】
本発明の他の実施形態によれば、例えば、第１の粘着剤層を構成する粘着剤として、対象となる付け爪に対して高い保持力を発揮することが可能な粘着剤を選択し、第２の粘着剤層を構成する粘着剤として、人体爪に対して高い粘着力を発揮することが可能な粘着剤を選択することが可能となる。この結果、従来よりも、付け爪の強固な取り付けが可能となる。
本発明の他の実施形態によれば、粘着剤層が遠赤外線を放射する無機粉末を含有し、指先の毛細血管が遠赤外線により刺激され、毛細血管が拡張し、指先の血流が促進され、指先の冷え性が改善される。
本発明の他の実施形態によれば、粘着性回復のための復活剤を塗布した際に、復活剤中の水成分と酸化カルシウムが反応し、熱を発するので、第２の粘着剤からなる粘着剤層のタック力増加速度を高めることが可能となる。これにより、復活剤塗布後の付け爪の再装着を素早く行うことが可能となる。
【発明を実施するための最良の形態】
【００２５】
以下、本発明に係る粘着剤シートの製造方法及びこの製造方法から得られる粘着剤シートの実施形態について、図を参照しつつ説明する。
図１は、本発明の粘着剤シートを示す。図１（ａ）は、粘着剤シートの断面図であり、図１（ｂ）は、粘着剤シートの平面図である。尚、図１（ｂ）示す粘着剤シートは、剥離フィルムが除去された状態である。
粘着剤シート（１）は、シート状の剥離台紙（２）と、剥離台紙（２）上面に付着する粘着剤層（３）と、剥離台紙（２）上方において粘着剤層（３）を覆う剥離フィルム（４）からなる。
剥離台紙（２）上面及び剥離フィルム（４）下面は、剥離剤でコーティングされている。この結果、剥離台紙（２）上面及び剥離フィルム（４）下面に粘着剤層（３）の粘着剤が付着した後においても、小さな力で、剥離台紙（２）上面及び剥離フィルム（４）下面から粘着剤を引き離すことが可能となっている。【００２６】
図２は、図１に示す粘着剤シート（１）の製造工程を示すフローチャートである。
図２に示す如く、粘着剤シート（１）は、剥離台紙（２）上に型用シートを配設する型用シート配設工程と、型用シート上に粘着剤層（３）を構成する粘着剤を塗布する粘着剤塗布工程と、型用シート上で箆部材を摺動させ、型用シートに形成された開口部に、粘着剤塗布工程で塗布された粘着剤を流入させる箆部材摺動工程と、開口部内に流入した粘着剤を固化し、粘着剤層（３）を形成する固化工程と、剥離台紙（２）上から型用シートを除去する型用シート除去工程と、剥離フィルム（４）を粘着剤層（３）上に配設する剥離フィルム配設工程を経て形成される。【００２７】
図３は、図２のフローチャートに示す工程のうち、型用シート配設工程を説明する斜視図である。
図３に示す如く、型用シート配設工程において、型用シート（５）が剥離台紙（２）上に配される。型用シート（５）の上面は、メッシュ状に形成された金属製の網材（５１）で被覆される。型用シート（５）は、開口部（５２）を備える。開口部（５２）の周縁輪郭の形状は、特に限定されないが、図示例においては、付け爪装着対象たる人体爪を模した形状が採用されている。また、開口部（５２）の周縁部は、剥離剤でコーティング処理が施され、図２に示す型用シート除去工程の円滑化が図られている。【００２８】
図４は、図２のフローチャートに示す工程のうち、粘着剤塗布工程を説明する斜視図である。
図４に示す如く、粘着剤塗布工程において、剥離台紙（２）上に配された型用シート（５）上に粘着剤（３１）が垂らされる。このとき、粘着剤（３１）は、温められた状態であり、流動性を有する。所定量の粘着剤（３１）が型用シート（５）上に供給された後、箆部材摺動工程が行われる。【００２９】
図５は、図２のフローチャートに示す工程のうち、箆部材摺動工程を説明する断面図である。
図５に示す如く、箆部材摺動工程において、剥離台紙（２）上に配された型用シート（５）上には、流動性を有する粘着剤（３１）が塗布されている。この状態において、箆部材（６）を型用シート（５）上で摺動させる。粘着剤（３１）は、箆部材（６）により押され、型用シート（５）の開口部（５２）に向けて流動し、開口部（５２）において、網材（５１）を通じて、開口部（５２）内に収容される。【００３０】
図６は、図２のフローチャートに示す工程のうち、箆部材摺動工程後の工程を説明する断面図である。図６（ａ）は、固化工程を説明する断面図であり、図６（ｂ）は、型用シート除去工程を説明する断面図であり、図６（ｃ）は、剥離フィルム配設工程を説明する断面図である。
図６（ａ）に示す如く、箆部材摺動工程完了後、粘着剤（３１）は、型用シート（５）の開口部（５２）内に収容される。図６（ａ）に示す状態を所定時間保ち、粘着剤（３１）の温度を低減させる。この結果、粘着剤（３１）は、流動性を失い、開口部（５２）の輪郭形状により定められる形状に形成された粘着剤層（３）となる。
図６（ｂ）に示す如く、粘着剤（３１）が固化し、粘着剤層（３）が形成された後、型用シート（５）が剥離台紙（２）上から除去される。この結果、粘着剤層（３）が剥離台紙（２）上に残ることとなる。
図６（ｃ）に示す如く、型用シート（５）が剥離台紙（２）から除去された後、剥離フィルム（４）で粘着剤層（３）を覆う。【００３１】
図２乃至図６に示す工程を経て、粘着剤シート（１）が完成する。上記説明から明らかな如く、型用シート（５）の厚さを大きくすることにより、開口部（５２）の容積が増大し、この結果、開口部（５２）内に収容可能な粘着剤の量が増大する。したがって、型用シート（５）の厚さを変えることにより、粘着剤シート（１）の人体爪或いは付け爪に対する粘着強度の増減を図ることが可能となる。【００３２】
図７は、図２に示す粘着剤シート（１）の製造工程の応用形態を示すフローチャートであり、図８は、図７に示す第１の型用シート配設工程、第１の粘着剤塗布工程、箆部材摺動工程及び固化工程を経た後の剥離台紙（２）と第１の型用シート（５００）の積層状態を示す図である。
第１の型用シート配設工程において、第１の型用シート（５１０）が剥離台紙（２）上に配される。第１の型用シート（５１０）は、図２及び図３に示した型用シート（５）と同様の構成であるが、第１の型用シート（５１０）は、その上面に網材を備えない点で異なる。
第１の粘着剤塗布工程において、第１の粘着剤（３１０）が第１の型用シート（５１０）上に垂らされ、箆部材摺動工程において、第１の粘着剤（３１０）が第１の型用シート（５１０）の開口部（５１２）内に押し流される。この結果、第１の粘着剤（３１０）は、開口部（５１２）内に収容される。
図８に示す如く、箆部材摺動工程が完了した後の開口部（５１２）内の第１の粘着剤（３１０）の液面は、第１の型用シート（５１０）の上面と面一の状態とされる。
以上の如く、ここまでの工程は、図２乃至図６に関連して説明した一連の工程と略同様である。【００３３】
図９は、図７のフローチャート中の工程のうち、第２の型用シート配設工程を説明する図である。図９（ａ）は、第２の型用シートが第１の型用シート（５１０）上に配設された状態を示す平面図であり、図９（ｂ）は、第２の型用シートが第１の型用シート（５１０）上に配設された状態を示す断面図である。
図７に示すフローチャートにおいて、第２の型用シート配設工程は、第１の型用シート（５１０）の開口部（５１２）内の粘着剤に対して、固化工程を行なった後に行われるように示されるが、固化工程と並行して行ってもよい。
図９に示す如く、第２の型用シート（５２０）は、第１の型用シート（５１０）上に配設され、第２の型用シート（５２０）に形成された開口部（５２２）は、第１の型用シート（５１０）の開口部（５１２）に連通する。第２の型用シート（５２０）の開口部（５２２）は、第１の型用シート（５１０）の開口部（５１２）よりも小さく形成される。
図９に示す例において、第２の型用シート（５２０）の一対の開口部（５２２）は、第１の型用シート（５１０）の開口部（５１２）の左右縁近傍に配されているが、本発明はこれに限られるものではなく、第２の型用シート（５２０）の開口部（５２２）が、第１の型用シート（５１０）の開口部（５１２）の中央領域で連通する形態やその他領域で連通する形態を採用することもできる。
また、第２の型用シート（５２０）は、その上面に網材（５２１）を備える。網材（５２１）は金属線からなるメッシュ状の部材であり、第２の型用シート（５２０）上面を覆う。【００３４】
図１０は、図７に示す第２の粘着剤塗布工程から固化工程までを説明する断面図である。図１０（ａ）は、第２の粘着剤塗布工程を説明する断面図であり、図１０（ｂ）は、箆部材摺動工程を説明する断面図であり、図１０（ｃ）は、固化工程を示す断面図である。
図１０（ａ）に示す如く、第２の型用シート（５２０）が、第１の型用シート（５１０）上に配設された後、第２の粘着剤塗布工程が実行され、所定量の第２の粘着剤（３２０）が第２の型用シート（５２０）上に塗布される。第２の粘着剤（３２０）は、第１の粘着剤（３１０）と同一種であってもよいし、異なる種類のものであってもよい。第１の粘着剤（３１０）と異なる種類の粘着剤を第２の粘着剤（３２０）として用いる場合には、例えば、第１の粘着剤（３１０）を付け爪に対して高い粘着性を示す種類の粘着剤とし、第２の粘着剤（３２０）を人体爪に対して高い粘着性を示す種類の粘着剤とすることが可能である。
図１０（ｂ）に示す如く、第２の型用シート（５２０）上面に、第２の粘着剤（３２０）が供給された後、箆部材摺動工程が実行される。箆部材摺動工程において、箆部材（６）が、第２の型用シート（５２０）上面を摺動し、これに伴い、箆部材（６）により、第２の粘着剤（３２０）が第２の型用シート（５２０）上を流動する。第２の粘着剤（３２０）が第２の型用シート（５２０）に形成された開口部（５２２）に達すると、第２の粘着剤（３２０）は、網材（５２１）を介して、第２の型用シート（５２０）の開口部（５２２）内に流入する。
図１０（ｃ）に示す如く、箆部材摺動工程が完了すると、第２の粘着剤（３２０）は、第２の型用シート（５２０）の開口部（５２２）内に収容されるとともに、第２の型用シート（５２０）上面に残存する第２の粘着剤（３２０）は除去されることとなる。その後、固化工程が実行され、第２の型用シート（５２０）の開口部（５２２）内に収容された第２の粘着剤（３２０）は所定時間放置される。この結果、第２の粘着剤（３２０）は温度低下とともにその流動性を喪失し、固化することとなる。【００３５】
図１１は、図７のフローチャートに示す工程のうち、型用シート除去工程及び剥離フィルム配設工程を説明する断面図である。図１１（ａ）は、型用シート除去工程を説明する断面図であり、図１１（ｂ）は、剥離フィルム配設工程を説明する断面図である。
図１１（ａ）に示す如く、第２の粘着剤（３２０）に対する固化工程が完了すると、第１の型用シート（５１０）及び第２の型用シート（５２０）が剥離台紙（２）上から除去される。第１の粘着剤（３１０）及び第２の粘着剤（３２０）の固化により、第１の粘着剤（３１０）及び第２の粘着剤（３２０）はそれぞれ、第１の粘着層（３１３）及び第２の粘着層（３２３）を形成することとなる。
上述の如く、第２の型用シート（５２０）の開口部（５２２）は、第１の型用シート（５１０）の開口部（５１２）よりも小さく形成されるので、剥離台紙（２）上に形成される粘着剤層（３００）は、第１の粘着剤層（３１３）のみからなる部分と第１の粘着剤層（３１３）と第２の粘着剤層（３２３）が積層した部分を備えることとなる。単層部分においては、粘着剤層（３００）は薄く形成されることとなり、積層部分においては、粘着剤層（３００）は厚く形成されることとなる。
図１１（ｂ）に示す如く、型用シート（５１０，５２０）が除去された後、剥離フィルム配設工程が実行され、剥離フィルム（４）が粘着剤層（３００）を覆い、粘着剤シート（１）が完成する。【００３６】
図１２は、図７乃至図１１に関連して説明した工程を経て、粘着剤層（３００）の一部を隆起させた形状とした場合の利点を説明する図である。図１２（ａ）は、一様な粘着剤層（３００ａ）を形成した場合を示し、図１２（ｂ）は、付け爪左右縁において粘着剤層（３００ｂ）を隆起させた場合を示す。
図１２（ａ）及び図１２（ｂ）に示す例において、付け爪（９００）は、人体爪（９０１）よりも大きな曲率半径を有する。したがって、付け爪（９００）を装着する場合、付け爪（９００）は、曲げ応力を負荷された状態で取付けられる必要がある。
一様な粘着層（３００ａ）で付け爪（９００）を装着した場合、付け爪左右端において隆起部を有する粘着層（３００ｂ）で付け爪（９００）を装着するよりも、大きく付け爪（９００）を湾曲させる必要がある。したがって、図１２（ａ）に示す場合の方が図１２（ｂ）に示す場合よりも、付け爪（９００）に加わる曲げ応力が大きい。負荷される曲げ応力は、復元力となって現れる。そして、この復元力は、付け爪（９００）左右端において最も大きく作用する。
図１２（ａ）に示す場合においては、復元力が大きく、更に、粘着剤層（３００ａ）が一様の厚さであるため、付け爪（９００）左右縁において、粘着剤層（３００ａ）の粘着力が復元力に抗せず、付け爪（９００）が人体爪（９０１）から離れやすい状態にある。
図１２（ｂ）に示す場合においては、復元力が小さく、更に、粘着剤層（３００ｂ）が付け爪（９００）左右縁において厚く形成され、高い粘着力を発揮するため、付け爪（９００）が人体爪（９０１）から離れにくい状態にある。
このように、粘着剤層の一部を隆起させることにより、人体爪（９０１）の表面形状と付け爪の形状の相違から生ずる付け爪の剥がれやすさを緩和させることが可能となる。尚、粘着剤層の隆起は、図１２に示すものに限られるものではない。例えば、付け爪中央部に位置する粘着剤層領域を隆起させてもよい。これにより、人体爪上で付け爪を押圧することにより、押圧点を中心に、粘着剤層が放射状に押し広げられ、付け爪裏面と人体爪表面との接着面全体に粘着剤層をいきわたらせることが可能となる。【００３７】
図１３は、型用シート（５）の応用形態を示す。図１３（ａ）は、型用シート（５）の平面図であり、図１３（ｂ）は型用シート（５）の側面図である。
図１３に示す型用シート（５）は、２枚のシート材料を貼り合わせて形成される。そして、２枚のシート材料の貼り合わせ面には、平面視Ｕ字形状の流路（５３）が形成される。流路（５３）は、型用シート（５）中央に形成された開口部（５２）周縁近傍を通過して、開口部（５２）を取り囲む。また、流路（５３）は、型用シート（５）上面に対して平行に延設する。【００３８】
図１４は、図１３に示す型用シート（５）を用いて、固化工程を行なったときの粘着剤（３１）の状態を示す。図１４（ａ）は、箆部材摺動工程直後の粘着剤（３１）の状態を示し、図１４（ｂ）は、固化工程後の粘着剤（３１）の状態を示す。
箆部材摺動工程直後において、粘着剤（３１）の液面は、型用シート（５）の上面に対して面一である。箆部材摺動工程完了後、流路（５３）に冷却気体を流入させる。この結果、開口部（５２）周縁部近傍に位置する粘着剤（３１）が急速に冷却され、凝集・固化する。開口部（５２）周縁部近傍に位置する粘着剤（３１）の一部は、この凝集作用に伴い、開口部（５２）中央領域に向けて流動する。この結果、開口部（５２）中央領域において、粘着剤層（３）が隆起することとなる。【００３９】
図１５は、図１３及び図１４に示す型用シート（５）の流路（５３）にヒータ線（５４）を挿通させて、固化工程を行なったときの粘着剤層（３）の状態を示す。
ヒータ線（５４）は、開口部（５２）を取り囲み、固化工程において、電力供給される。この結果、開口部（５２）周縁部近傍の粘着剤（３１）は温められる。その一方で、開口部（５２）中央領域に存する粘着剤（３１）は外気により冷却され、凝集する。この凝集作用に伴い、開口部（５２）中央領域に存する粘着剤（３１）の一部は、開口部（５２）周縁領域に向けて流動する。この結果、開口部（５２）周縁領域の粘着剤層（３）が隆起することとなる。【００４０】
図１６は、粘着剤シート（１）の製造工程の更なる応用形態を示すフローチャートである。図１６に示す製造工程フローチャートは、図２に示すフローチャートと略同様であるが、箆部材摺動工程と固化工程の間に、無機粉末散布工程が行われる点で異なる。
図１７は、無機粉末散布工程を説明する図である。
型用シート（５）内に粘着剤（３１）が収容された後であって、この粘着剤（３１）が固化する前に、開口部（５２）上方から、所定量の無機粉末（７）が散布される。散布される無機粉末（７）として、白炭、貝殻焼成カルシウム、トルマリン、Al2O3、SiO2、MgO、ZrO2、3Al2O3・2SiO2、ZrO2・SiO2、2MgO・2Al2O3・5SiO2を例示でき、これら無機粉末（７）は遠赤外線を放射する。散布量は特に限定されないが、粘着剤（３１）が付け爪の使用に要求される程度の粘着力を維持できる程度の量であることが好ましい。
粘着剤（３１）が固化する前に、これら無機粉末（７）が塗布されることによって、粘着剤（３１）が、無機粉末（７）に粘着し、無機粉末（７）が零れ落ちることが防止される。
無機粉末散布工程の他の実施例として、所定量の粘着剤（３１）を開口部（５２）に流入させた後、所定量の無機粉末を散布し、更に、無機粉末（７）を被覆するように、粘着剤（３１）を開口部（５２）に流し込むことができる。これにより、無機粉末（７）が直接的に粘着面に現れることがなく、付け爪の使用に要求される粘着力を損なうことを防止できる。
図７に示すフローチャートにしたがって、粘着剤シート（１）を製造する場合には、第１の粘着剤に対する箆部材摺動工程と固化工程の間に無機粉末散布工程を組み込むことができる。この工程を経た場合には、図１１（ｂ）に示す粘着剤シート（１）の第１の粘着剤層（３１３）上に無機粉末（７）が散在することとなる。【００４１】
図１８は、無機粉末散布工程を組み込んだ他の粘着剤シート（１）の製造方法のフローチャートである。図１９は、図１８に示す製造方法中で行なわれる無機粉末散布工程を示す。
図１８に示すフローチャートは、図７に示す粘着剤シート（１）の製造方法のフローチャートと略同様であるが、第２の型用シート配設工程と第２の粘着剤塗布工程の間に無機粉末散布工程が組み込まれている点で異なる。無機粉末（７）は、第２の型用シート（５２０）が第１の型用シート（５１０）上に積層された後、第２の型用シート（５２０）の開口部（５２２）を介して、第１の型用シート（５１０）の開口部（５１２）内に収容された第１の粘着剤（３１０）上に散布される。その後、第２の粘着剤塗布工程が実行され、第２の粘着剤（３２０）が無機粉末（７）を覆う。この方法によっても、無機粉末（７）が直接的に粘着面に現れることがなく、付け爪の使用に要求される粘着力を損なうことを防止できる。この場合には、図１１（ｂ）に示す粘着剤シート（１）の第１の粘着剤層（３１３）と第２の粘着剤層（３２３）の間に、無機粉末（７）が散在することとなる。【００４２】
図２０は、他の粘着剤シート（１）の製造方法のフローチャートである。図２０に示すフローチャートは、図７に示すフローチャートと略同様であるが、第２の粘着剤に対する固化工程と型用シート除去工程の間に、第２の型用シート除去工程、第３の型用シート配設工程及び無機粉末散布工程が実行される。
第２の型用シート除去工程において、第２の型用シート（５２０）が、第１の型用シート（５１０）上から除去される。その後、第３の型用シート配設工程において、第１の型用シート（５１０）上に第３の型用シートが積層される。【００４３】
図２１は、図２０に示すフローチャートにしたがう製造工程で用いられる第１の型用シート（５１０）、第２の型用シート（５２０）及び第３の型用シート（５３０）の開口部（５１２，５２２，５３２）の関係を示す図である。図２１（ａ）は、第１の型用シート（５１０）の平面図であり、図２１（ｂ）は、第２の型用シート（５２０）の平面図であり、図２１（ｃ）は、第３の型用シート（５３０）の平面図である。
図２１（ａ）に示す如く、第１の型用シート（５１０）の中央領域には、人体爪の形状をなした開口部（５１２）が形成される。
図２１（ｂ）に示す如く、第２の型用シート（５２０）の上面は、網材（５２１）で覆われる。第２の型用シート（５２０）は、一対の三日月形状をなす開口部（５２２）を備える。一対の開口部（５２２）の間には、略円形の被覆部（５２９）が形成される。被覆部（５２９）は、略円形をなし、第２の型用シート（５２０）の外周輪郭を形成する外側領域（５２８）と一対の接続部（５２７）を介して接続する。図２０に示す第２の型用シート配設工程において、第２の型用シート（５２０）が第１の型用シート（５１０）上に積層されると、第２の型用シート（５２０）の開口部（５２２）は、第１の型用シート（５１０）の開口部（５１２）の周縁領域の略全長にわたって連通する。この結果、第２の粘着剤塗布工程、箆部材摺動工程及び固化工程を経て形成される粘着剤層（３００）（図１０参照）の周縁領域の略全体が隆起し、粘着剤層（３００）の中央領域に凹部（３０１）（図１１参照）が形成される。
第３の型用シート（５３０）は、その中央領域に開口部（５３２）を備える。第３の型用シート（５３０）の開口部（５３２）は、第２の型用シート（５２０）の被覆部（５２９）と略同一形状をなす。また、第３の型用シート（５３０）の下面の開口部（５３２）にはザグリ加工が施されている。この結果、後述するように第３の型用シート（５３０）を第１の型用シート（５１０）上に積層したときに、粘着剤（３２０）が第３の型用シート（５３０）に接触しない。
図２０に示す第２の型用シート除去工程において、第２の型用シート（５２０）を第１の型用シート（５１０）上から除去した後、第３の型用シート配設工程において、第３の型用シート（５３０）を第１の型用シート（５１０）上に積層する。この結果、第３の型用シート（５３０）の開口部（５３２）を介して、粘着剤層（３００）の中央領域に形成された凹部（３０１）が露出する。開口部（５３２）を通じて、熱風を供給し、凹部（３０１）を形成する粘着剤を溶融或いは軟化させた後、無機粉末散布工程において、第３の型用シート（５３０）の開口部（５３２）を通じて、無機粉末（７）が凹部（３０１）上に散布される。散布される無機粉末（７）は、遠赤外線を放射する白炭、貝殻焼成カルシウム、トルマリン、Al2O3、SiO2、MgO、ZrO2、3Al2O3・2SiO2、ZrO2・SiO2、2MgO・2Al2O3・5SiO2であってもよいが、本実施形態においては、酸化カルシウム又は酸化鉄が無機粉末（７）として用いられる。この結果、無機粉末（７）は、凹部（３０１）に付着する。
型用シート除去工程において、剥離台紙（２）上から第１の型用シート（５１０）及び第３の型用シート（５３０）が除去され、剥離フィルム配設工程において、剥離フィルム（４）を用いて、粘着剤層（３００）を被覆する（図１１参照）。以上の工程により、凹部（３０１）上に無機粉末（７）が配設された粘着剤シート（１）が製造されることとなる。【００４４】
図２２は、粘着剤シート（１）の平面図である。
上記において、説明の明瞭化を図るために、粘着剤シート（１）は、１つの粘着剤層（３，３００）を備えるように図示されるとともに説明されてきたが、１つの粘着剤シート（１）が複数の粘着剤層（３，３００）を備えることが好ましい。また、複数の粘着剤層（３，３００）が、親指、人差し指、中指、薬指或いは小指の人体爪の形状をそれぞれなすことが好ましい。
図２２に示す粘着剤シート（１）の実施形態においては、複数の粘着剤層（３，３００）が、１つの粘着剤シート（１）中に行列状に配列されている。また、複数の粘着剤層（３，３００）の間を横切るように、剥離台紙（２）及び剥離フィルム（４）上にミシン目（１０１）が形成される。この結果、ミシン目（１０１）及び／又は剥離台紙（２）並びに剥離フィルム（４）の外周縁で定義される一の格子領域を他の領域から分離可能となる。【００４５】
図２３は、粘着剤シート（１）の他の実施形態を示す。図２３（ａ）は、粘着剤シート（１）の平面図であり、図２３（ｂ）は、図２３（ａ）に示すＡ−Ａ線における粘着剤シート（１）の断面図であり、図２３（ｃ）は、図２３（ａ）に示すＢ−Ｂ線における粘着剤シート（１）の断面図である。
図２３に示す粘着剤シート（１）は、プラスチック製の剥離台紙（２）を備える。剥離台紙（２）は、その内部領域を縦横に横切る分割線（２０１）を備え、分割線（２０１）及び／又は剥離台紙（２）外周縁は格子領域を形成する。分割線（２０１）を中心に剥離台紙（２）を折り曲げることにより、剥離台紙（２）を容易に割ることができる。この結果、剥離台紙（２）上で区画される一の格子領域を他の領域から分離可能となる。
各格子領域には、一の粘着剤層（３，３００）とこれを被覆する一の剥離フィルム（４）が配される。粘着剤層（３，３００）を形成するために、下面が湾曲した型用シート（５，５１０）が用いられ、この型用シート（５，５１０）が図２又は図１６に示すフローチャート中の型用シート配設工程或いは図７、図１８又は図２０に示すフローチャート中の第１の型用シート配設工程において、剥離台紙（２）上に直接的に載置される。
剥離台紙（２）の湾曲形状の曲率半径は、各格子の粘着剤層（３，３００）が取付けられる付け爪裏面の湾曲形状の曲率半径と略等しくされる。この結果、付け爪裏面と粘着剤層（３，３００）下面が密着することとなる。【００４６】
剥離台紙（２）上面と剥離フィルム（４）の粘着剤層（３，３００）に対する剥離性には差異が設けられている。例えば、剥離台紙（２）の粘着剤層（３，３００）に対する剥離性を剥離フィルム（４）よりも高めることにより、剥離台紙（４）を粘着剤層（３，３００）から一層弱い力で引き離すことが可能となる。この結果、粘着剤層（３，３００）は確実に剥離フィルム（４）側に付着した状態で剥離台紙（２）から分離される。その後、付け爪と粘着剤層（３，３００）下面とを接触させ、剥離フィルム（４）を粘着剤層（３，３００）から引き離す。最後に、粘着剤層（３，３００）上面と人体爪を接触させることにより、付け爪の装着が完了する。
剥離フィルム（４）の粘着剤層（３，３００）に対する剥離性を剥離台紙（２）よりも高めた場合には、まず、剥離フィルム（４）を粘着剤層（３，３００）から引き離し、人体爪と粘着剤層（３，３００）上面とを接触させる。その後、剥離台紙（２）を粘着剤層（３，３００）から引き離し、人体爪上に乗り移った粘着剤層（３，３００）上面と付け爪を接触させ、付け爪の装着を完了させることができる。
付け爪装着の際には、使用者は、付け爪端部、剥離台紙（２）縁部或いは剥離フィルム（４）縁部を摘んで、粘着剤層（３，３００）に触れることなく、付け爪の装着を行なうことができる。したがって、指先の皮脂が粘着剤層（３，３００）に乗り移ることがなく、粘着層（３，３００）の粘着力が低減しない。
【産業上の利用可能性】
【００４７】
本発明は、付け爪の装着補助具に利用可能である。
【図面の簡単な説明】
【００４８】
【図１】本発明に係る粘着剤シートを示す図である。
【図２】本発明に係る粘着剤シートの製造方法のフローチャートである。
【図３】本発明に係る粘着剤シートの製造方法の一工程を示す図である。
【図４】本発明に係る粘着剤シートの製造方法の一工程を示す図である。
【図５】本発明に係る粘着剤シートの製造方法の一工程を示す図である。
【図６】本発明に係る粘着剤シートの製造方法の一工程を示す図である。
【図７】本発明に係る粘着剤シートの製造方法のフローチャートである。
【図８】本発明に係る粘着剤シートの製造方法の一工程を示す図である。
【図９】本発明に係る粘着剤シートの製造方法の一工程を示す図である。
【図１０】本発明に係る粘着剤シートの製造方法の一工程を示す図である。
【図１１】本発明に係る粘着剤シートの製造方法の一工程を示す図である。
【図１２】本発明に係る粘着剤シートの利点を説明する図である。
【図１３】本発明に係る粘着剤シートの製造方法に用いられる型用シートを示す図である。
【図１４】図１３の型用シートを用いた製造方法の一工程を示す図である。
【図１５】他の型用シートを用いた製造方法の一工程を示す図である。
【図１６】本発明に係る粘着剤シートの製造方法のフローチャートである。
【図１７】本発明に係る粘着剤シートの製造方法の一工程を示す図である。
【図１８】本発明に係る粘着剤シートの製造方法のフローチャートである。
【図１９】本発明に係る粘着剤シートの製造方法の一工程を示す図である。
【図２０】本発明に係る粘着剤シートの製造方法のフローチャートである。
【図２１】図２０の製造方法に用いられる型用シートを示す図である。
【図２２】本発明に係る粘着剤シートを示す図である。
【図２３】本発明に係る粘着剤シートを示す図である。
【図２４】従来の粘着剤シートを示す図である。
【符号の説明】
【００４９】
１・・・・・粘着剤シート
１０１・・・ミシン目
２・・・・・剥離台紙
３・・・・・粘着剤層
３０１・・・凹部
３１・・・・粘着剤
３１０・・・第１の粘着剤
３２０・・・第２の粘着剤
４・・・・・剥離フィルム
５・・・・・型用シート
５１・・・・網材
５１０・・・第１の型用シート
５１２・・・開口部
５２・・・・開口部
５２０・・・第２の型用シート
５２１・・・網材
５２２・・・開口部
５３・・・・流路
５３０・・・第３の型用シート
５３２・・・開口部
５４・・・・ヒータ線
６・・・・・箆部材
７・・・・・無機粉末
【図１】
2009025058.tif 000003
【図２】
2009025058.tif 000004
【図３】
2009025058.tif 000005
【図４】
2009025058.tif 000006
【図５】
2009025058.tif 000007
【図６】
2009025058.tif 000008
【図７】
2009025058.tif 000009
【図８】
2009025058.tif 000010
【図９】
2009025058.tif 000011
【図１０】
2009025058.tif 000012
【図１１】
2009025058.tif 000013
【図１２】
2009025058.tif 000014
【図１３】
2009025058.tif 000015
【図１４】
2009025058.tif 000016
【図１５】
2009025058.tif 000017
【図１６】
2009025058.tif 000018
【図１７】
2009025058.tif 000019
【図１８】
2009025058.tif 000020
【図１９】
2009025058.tif 000021
【図２０】
2009025058.tif 000022
【図２１】
2009025058.tif 000023
【図２２】
2009025058.tif 000024
【図２３】
2009025058.tif 000025
【図２４】
2009025058.tif 000026
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
第１の剥離シート上に、開口部を有する第１の型用シートを配設する段階と、
該第１の型用シート上に第１の粘着剤を塗布する段階と、
箆部材を前記第１の型用シート上で移動させ、前記第１の粘着剤を前記第１の型用シートの開口部内に流入させる段階と、
前記第１の粘着剤を前記開口部内に収容した状態で、前記第１の粘着剤を固化させる段階と、
前記第１の剥離シートから前記第１の型用シートを除去する段階と、
前記第１の剥離シート上に第２の剥離シートを載置し、前記第１の剥離シートと前記第２の剥離シートの間で、前記第１の粘着剤を固定する段階を備え、
前記第１の型用シートの開口部の近傍に、該第１の型用シート上面に対して平行に延設する貫通孔が形成され、
前記第１の粘着剤を固化させる段階が、前記貫通孔に冷却気体を導入する段階を備えることを特徴とする粘着剤シートの製造方法。
【請求項２】
第１の剥離シート上に、開口部を有する第１の型用シートを配設する段階と、
該第１の型用シート上に第１の粘着剤を塗布する段階と、
箆部材を前記第１の型用シート上で移動させ、前記第１の粘着剤を前記第１の型用シートの開口部内に流入させる段階と、
前記第１の粘着剤を前記第１の型用シートの前記開口部内に収容した状態で、前記第１の粘着剤を固化させる段階と、
前記第１の型用シート上に、前記第１の型用シートの開口部より小さく形成された開口部を備える第２の型用シートを配設し、前記第１の型用シートと前記第２の型用シートの開口部同士を連通させる段階と、
該第２の型用シート上に第２の粘着剤を塗布する段階と、
箆部材を前記第２の型用シート上で移動させ、前記第２の粘着剤を前記第２の型用シートの開口部内に流入させる段階と、
前記第２の粘着剤を前記第２の型用シートの前記開口部内に収容した状態で、前記第２の粘着剤を固化させる段階と、
前記第１の剥離シートから前記第１の型用シート及び前記第２の型用シートを除去する段階と、
前記第１の剥離シート上に第２の剥離シートを載置し、前記第１の剥離シートと前記第２の剥離シートの間で、前記第１の粘着剤及び前記第２の粘着剤を固定する段階を備えることを特徴とする粘着剤シートの製造方法。
【請求項３】
前記第１の型用シートが、前記第１の型用シートに形成された前記開口部を覆う網材を備えることを特徴とする請求項１記載の粘着剤シートの製造方法。
【請求項４】
前記第２の型用シートが、前記第２の型用シートに形成された前記開口部を覆う網材を備えることを特徴とする請求項２記載の粘着剤シートの製造方法。
【請求項５】
第１の剥離シート上に、開口部を有する第１の型用シートを配設する段階と、
該第１の型用シート上に第１の粘着剤を塗布する段階と、
箆部材を前記第１の型用シート上で移動させ、前記第１の粘着剤を前記第１の型用シートの開口部内に流入させる段階と、
前記第１の粘着剤を前記開口部内に収容した状態で、前記第１の粘着剤を固化させる段階と、
前記第１の剥離シートから前記第１の型用シートを除去する段階と、
前記第１の剥離シート上に第２の剥離シートを載置し、前記第１の剥離シートと前記第２の剥離シートの間で、前記第１の粘着剤を固定する段階を備え、
前記第１の型用シートの開口部の近傍に、該第１の型用シート上面に対して平行に延設する貫通孔が形成され、
該貫通孔にヒータ線が挿通され、
前記第１の粘着剤を固化させる段階が、前記ヒータ線に電力を供給する段階を備えることを特徴とする粘着剤シートの製造方法。
【請求項６】
前記第２の型用シートの開口部の近傍に、該第２の型用シート上面に対して平行に延設する貫通孔が形成され、
前記第２の粘着剤を固化させる段階が、前記貫通孔に冷却気体を導入する段階を備えることを特徴とする請求項２記載の粘着剤シートの製造方法。
【請求項７】
前記第１の粘着剤を前記型用シートの開口部内に流入させた後であって、且つ、該開口部内の前記第１の粘着剤が固化する前に、遠赤外線を放射する無機粉末を散布する段階を備えることを特徴とする請求項２記載の粘着剤シートの製造方法。
【請求項８】
前記第２の型用シートの開口部の近傍に、該第２の型用シート上面に対して平行に延設する貫通孔が形成され、
該貫通孔にヒータ線が挿通され、
前記第２の粘着剤を固化させる段階が、前記ヒータ線に電力を供給する段階を備えることを特徴とする請求項２記載の粘着剤シートの製造方法。
【請求項９】
前記第２の開口部が、前記第１の開口部の左右縁近傍のうち少なくとも一方と連通することを特徴とする請求項２記載の粘着剤シートの製造方法。
【請求項１０】
前記第２の開口部が、前記第１の開口部の中央部で連通することを特徴とする請求項２記載の粘着剤シートの製造方法。
【請求項１１】
前記第２の開口部が、前記第１の開口部の中央部以外の領域と連通することを特徴とする請求項２記載の粘着剤シートの製造方法。
【請求項１２】
前記第１の粘着剤を前記型用シートの開口部内に流入させた後であって、且つ、該開口部内の前記第１の粘着剤が固化する前に、遠赤外線を放射する無機粉末を散布する段階を備えることを特徴とする請求項１記載の粘着剤シートの製造方法。
【請求項１３】
第１の剥離シート上に、開口部を有する第１の型用シートを配設する段階と、
該第１の型用シート上に第１の粘着剤を塗布する段階と、
箆部材を前記第１の型用シート上で移動させ、前記第１の粘着剤を前記第１の型用シートの開口部内に流入させる段階と、
前記第１の粘着剤を前記第１の型用シートの前記開口部内に収容した状態で、前記第１の粘着剤を固化させる段階と、
前記第１の型用シート上に、前記第１の型用シートの開口部より小さく形成された開口部を備える第２の型用シートを配設し、前記第１の型用シートと前記第２の型用シートの開口部同士を連通させる段階と、
前記第２の型用シートの開口部を通じて、前記第１の粘着剤上に遠赤外線を放射する無機粉末を散布する段階と、
該第２の型用シート上に第２の粘着剤を塗布する段階と、
箆部材を前記第２の型用シート上で移動させ、前記第２の粘着剤を前記第２の型用シートの開口部内に流入させる段階と、
前記第２の粘着剤を前記第２の型用シートの前記開口部内に収容した状態で、前記第２の粘着剤を固化させる段階と、
前記第１の剥離シートから前記第１の型用シート及び前記第２の型用シートを除去する段階と、
前記第１の剥離シート上に第２の剥離シートを載置し、前記第１の剥離シートと前記第２の剥離シートの間で、前記第１の粘着剤及び前記第２の粘着剤を固定する段階を備えることを特徴とする粘着剤シートの製造方法。
【請求項１４】
第１の剥離シート上に、開口部を有する第１の型用シートを配設する段階と、
該第１の型用シート上に第１の粘着剤を塗布する段階と、
箆部材を前記第１の型用シート上で移動させ、前記第１の粘着剤を前記第１の型用シートの開口部内に流入させる段階と、
前記第１の粘着剤を前記第１の型用シートの前記開口部内に収容した状態で、前記第１の粘着剤を固化する段階と、
前記第１の型用シート上に、前記第１の型用シートの開口部より小さく形成された開口部を備える第２の型用シートを配設し、前記第１の型用シートの開口部の中央部以外の領域と前記第２の型用シートの開口部を連通させる段階と、
該第２の型用シート上に第２の粘着剤を塗布する段階と、
箆部材を前記第２の型用シート上で移動させ、前記第２の粘着剤を前記第２の型用シートの開口部内に流入させる段階と、
前記第２の粘着剤を前記第２の型用シートの前記開口部内に収容した状態で、前記第２の粘着剤を固化する段階と、
前記第２の型用シートを除去する段階と、
前記第１の型用シートの開口部よりも小さく形成される開口部を備える第３の型用シートを前記第１の型用シート上に配設し、前記第３の型用シートの開口部を前記第１の型用シートの開口部の中央領域と連通させる段階と、
前記第３の型用シートの開口部を通じて、酸化カルシウムを前記第２の粘着剤又は前記第１の粘着剤上に散布する段階と、
前記第１の剥離シートから前記第１の型用シート及び前記第３の型用シートを除去する段階と、
前記第１の剥離シート上に第２の剥離シートを載置し、前記第１の剥離シートと前記第２の剥離シートの間で、前記第１の粘着剤及び前記第２の粘着剤を固定する段階を備えることを特徴とする粘着剤シートの製造方法。
【請求項１５】
第１の剥離シート上に、開口部を有する第１の型用シートを配設する段階と、
該第１の型用シート上に第１の粘着剤を塗布する段階と、
箆部材を前記第１の型用シート上で移動させ、前記第１の粘着剤を前記第１の型用シートの開口部内に流入させる段階と、
前記第１の粘着剤を前記第１の型用シートの前記開口部内に収容した状態で、前記第１の粘着剤を固化する段階と、
前記第１の型用シート上に、前記第１の型用シートの開口部より小さく形成された開口部を備える第２の型用シートを配設し、前記第１の型用シートの開口部の中央部以外の領域と前記第２の型用シートの開口部を連通させる段階と、
該第２の型用シート上に第２の粘着剤を塗布する段階と、
箆部材を前記第２の型用シート上で移動させ、前記第２の粘着剤を前記第２の型用シートの開口部内に流入させる段階と、
前記第２の粘着剤を前記第２の型用シートの前記開口部内に収容した状態で、前記第２の粘着剤を固化する段階と、
前記第２の型用シートを除去する段階と、
前記第１の型用シートの開口部よりも小さく形成される開口部を備える第３の型用シートを前記第１の型用シート上に配設し、前記第３の型用シートの開口部を前記第１の型用シートの開口部の中央領域と連通させる段階と、
前記第３の型用シートの開口部を通じて、酸化鉄を前記第２の粘着剤又は前記第１の粘着剤上に散布する段階と、
前記第１の剥離シートから前記第１の型用シート及び前記第２の型用シートを除去する段階と、
前記第１の剥離シート上に第２の剥離シートを載置し、前記第１の剥離シートと前記第２の剥離シートの間で、前記第１の粘着剤を固定する段階を備えることを特徴とする粘着剤シートの製造方法。
【請求項１６】
請求項１記載の粘着剤シートの製造方法から得られる粘着剤シートであって、
第１の剥離シートと、
該第１の剥離シート上に配される第１の粘着剤層と、
前記第１の粘着剤層を覆う第２の剥離シートからなることを特徴とする粘着剤シート。
【請求項１７】
前記第１の剥離シートと前記第２の剥離シートに格子状のミシン目が形成され、
前記ミシン目で囲まれる格子領域内に前記第１の粘着剤層が配されることを特徴とする請求項１６記載の粘着剤シート。
【請求項１８】
前記第１の剥離シートが、前記第２の剥離シートよりも高い剛性を備えるとともに、所定の付け爪裏面の曲率半径と等しい曲率半径を備えることを特徴とする請求項１６記載の粘着剤シート。
【請求項１９】
前記第２の剥離シートを前記第１の粘着剤層から剥離させるのに要する力が、前記第１の剥離シートを前記第１の粘着剤層から剥離させるのに要する力よりも大きいことを特徴とする請求項１８記載の粘着剤シート。
【請求項２０】
前記第１の粘着剤層の周縁領域が隆起していることを特徴とする請求項１６記載の粘着剤シート。
【請求項２１】
前記第１の粘着剤層の中央領域が隆起していることを特徴とする請求項１６記載の粘着剤シート。
【請求項２２】
請求項２記載の粘着剤シートの製造方法から得られる粘着剤シートであって、
第１の剥離シートと、
該第１の剥離シート上に配される第１の粘着剤層と、
該第１の粘着剤層上に積層されるとともに該第１の粘着剤層よりも狭い領域を占める第２の粘着剤層と、
前記第１の粘着剤層及び前記第２の粘着剤層を覆う第２の剥離シートからなることを特徴とする粘着剤シート。
【請求項２３】
請求項１３記載の粘着剤シートの製造方法から得られる粘着剤シートであって、
第１の剥離シートと、
該第１の剥離シート上に配される第１の粘着剤層と、
該第１の粘着剤層上に積層されるとともに該第１の粘着剤層よりも狭い領域を占める第２の粘着剤層と、
前記第１の粘着剤層及び前記第２の粘着剤層を覆う第２の剥離シートと、
前記第１の粘着剤層と前記第２の粘着剤層の間に配されるとともに遠赤外線を放射する無機粉末からなることを特徴とする粘着剤シート。
【請求項２４】
前記無機粉末が、白炭、貝殻焼成カルシウム、トルマリン、Ａｌ２Ｏ３、ＳｉＯ２、ＭｇＯ、ＺｒＯ２、３Ａｌ２Ｏ３・２ＳｉＯ２、ＺｒＯ２・ＳｉＯ２、２ＭｇＯ・２Ａｌ２Ｏ３・５ＳｉＯ２からなる群から選択される材料からなることを特徴とする請求項２３記載の粘着剤シート。
【請求項２５】
請求項１４記載の粘着シートの製造方法から得られる粘着剤シートであって、
第１の剥離シートと、
該第１の剥離シート上に配される第１の粘着剤層と、
該第１の粘着剤層上に積層されるとともに該第１の粘着剤層よりも狭い領域を占める第２の粘着剤層と、
前記第１の粘着剤層及び前記第２の粘着剤層を覆う第２の剥離シートからなり、
前記第２の粘着剤層の中央領域には凹部が形成され、
該凹部に、酸化カルシウムが配されることを特徴とする粘着剤シート。
【請求項２６】
請求項１５記載の粘着シートの製造方法から得られる粘着剤シートであって、
第１の剥離シートと、
該第１の剥離シート上に配される第１の粘着剤層と、
該第１の粘着剤層上に積層されるとともに該第１の粘着剤層よりも狭い領域を占める第２の粘着剤層と、
前記第１の粘着剤層及び前記第２の粘着剤層を覆う第２の剥離シートからなり、
前記第２の粘着剤層の中央領域には凹部が形成され、
該凹部に、酸化鉄が配されることを特徴とする粘着剤シート。
【請求項２７】
請求項５記載の粘着剤シートの製造方法から得られる粘着剤シートであって、
第１の剥離シートと、
該第１の剥離シート上に配される第１の粘着剤層と、
前記第１の粘着剤層を覆う第２の剥離シートからなることを特徴とする粘着剤シート。
【国際調査報告】
2009025058.tif 000027
2009025058.tif 000028
2009025058.tif 000029